(57)【要約】【課題】  一般ユーザーが容易に閲覧可能となる冊子型コンテンツ表示装置ならびに冊子型コンテンツ表示用ＤＶＤ−ｖｉｄｅｏディスクを提供する。【解決手段】  ＤＶＤ−ｖｉｄｅｏフォーマットに従い作成された冊子型デジタルコンテンツを記録するＤＶＤ−ｖｉｄｅｏディスクであって、一般のＤＶＤ再生装置において再生することが可能である。メニュー画面で表示されるメニュー映像として冊子型コンテンツの見開きページを表示し、該メニュー画面から再生可能な本編映像として、当該見開きページをめくるページめくりアニメーションを再生表示することができる。再生終了後には、めくり先の見開きページが新たなメニュー画面として表示される。【選択図】  図１
2010277458.tif 000002
【特許請求の範囲】
【請求項１】
ＤＶＤ−ｖｉｄｅｏデータファイルとして構成された冊子型コンテンツを表示する冊子型コンテンツ表示装置であって、
前記冊子型コンテンツの表示出力先となる表示装置と、
前記冊子型コンテンツの各見開きページを前記表示装置にて表示するための複数の見開き画像データを、前記ＤＶＤ−ｖｉｄｅｏデータファイルのＶＯＢファイルから取得する見開き画像データ取得手段と、
それら各見開きページをめくる形で、１ページ後の見開きページへと遷移させる順方向の立体めくりアニメーションと、１ページ前の見開きページに遷移させる逆方向の立体めくりアニメーションとを前記表示装置にて再生するためのそれぞれのめくり動画データを、前記ＤＶＤ−ｖｉｄｅｏデータファイルのＶＯＢファイルから取得するめくり動画データ取得手段と、
前記冊子型コンテンツを前記表示装置にてめくり表示可能とする再生制御プログラムを、前記ＤＶＤ−ｖｉｄｅｏデータファイルのＩＦＯファイルから取得する再生制御プログラム取得手段と、
取得した前記再生制御プログラムに基づいて前記冊子型コンテンツの表示制御を実施するコンテンツ再生制御手段であって、前記見開き画像データに基づいて見開きページを表示し、なおかつ当該見開きページの表示中に、当該見開きページに対応する順方向と逆方向の立体めくりアニメーションの再生入力をそれぞれ受け付け可能とするメニュー画面を前記表示装置に表示するメニュー画面表示手段と、前記再生入力を受け付けるに伴い、表示されていた前記見開きページに代わって当該再生入力を受け付けた立体めくりアニメーションを前記表示装置に表示するべく対応するめくり動画データを再生する本編映像再生手段と、再生された立体めくりアニメーションが表現する遷移先の見開きページと当該見開きページの表示中に再生入力の受け付けが可能となる立体めくりアニメーションとを特定し、前記立体めくりアニメーションの再生終了に伴い、前記メニュー画面表示手段に対し、当該立体めくりアニメーションに代わって、特定された見開きページを表示し、なおかつ特定された立体めくりアニメーションの再生入力を受け付け可能とする新たなメニュー画面を表示させるメニュー画面切替手段と、を有した前記コンテンツ再生制御手段と、
を備えることを特徴とする冊子型コンテンツ表示装置。
【請求項２】
前記表示装置の画面上に、前記冊子型コンテンツの各見開きページと前記立体めくりアニメーションとを表示するためのコンテンツ表示領域を設定する画面表示設定手段を備えるとともに、前記見開きページ及び前記立体めくりアニメーションは、互いの間で滑らかに表示内容が切り替わるよう、前記コンテンツ表示領域において各々が表示する見開きページの表示ポジション及び表示サイズが一致して表示される請求項１記載の冊子型コンテンツ表示装置。
【請求項３】
前記立体めくりアニメーションのめくり動画データを構成する連続する画像フレーム群の先頭フレームは、ページめくり遷移前の見開きページと同じ画像を前記コンテンツ表示領域に表示させる画像フレームであり、当該画像フレーム群の最終フレームは、ページめくり遷移後の見開きページと同じ画像を前記コンテンツ表示領域に表示させる画像フレームである請求項２記載の冊子型コンテンツ表示装置。
【請求項４】
前記画面表示設定手段は、前記表示装置の画面上に、前記冊子型コンテンツの順方向めくり操作受付領域と逆方向めくり操作受付領域とを設定し、
前記画面上にて、前記順方向めくり操作受付領域と前記逆方向めくり操作受付領域とを選択的に入力するための操作受付領域選択入力手段を備える請求項１ないし請求項３のいずれか１項に記載の冊子型コンテンツ表示装置。
【請求項５】
前記画面表示設定手段は、前記表示装置の画面上に、前記見開きページの表示中に表示受け付け可能な画像データ毎に設けられ、それら各画像データを表示させるための操作受付領域を設定し、
前記操作受付領域選択入力手段は、前記画面上にて、前記操作受付領域のいずれかへの選択操作により、対応する画像データの表示入力が受け付けられる請求項４記載の冊子型コンテンツ表示装置。
【請求項６】
前記見開きページには、当該見開きページの前記めくり動画データとは別の画像データを表示可能とする別画像表示可能ページが含まれており、
前記別の画像データを、前記ＤＶＤ−ｖｉｄｅｏデータファイルのＶＯＢファイルから取得する別画像データ取得手段と、
前記別の画像データの表示入力がなされた場合に、当該別の画像データを前記コンテンツ表示領域に、表示中の前記見開きページに重なる形で表示する別画像データ表示手段と、
を備える請求項５記載の冊子型コンテンツ表示装置。
【請求項７】
前記別の画像データは、表示中の前記見開きページを拡大表示する拡大画像データである請求項６記載の冊子型コンテンツ表示装置。
【請求項８】
前記拡大画像データは、表示中の前記見開きページを複数の領域に分割し、分割された各領域を拡大した形で、予め定められた順序で表示されるものである請求項７記載の冊子型コンテンツ表示装置。
【請求項９】
前記別の画像データは、表示中の前記見開きページに関連した内容の動画データである請求項６ないし８のいずれか１項に記載の冊子型コンテンツ表示装置。
【請求項１０】
前記見開き画像データ取得手段、前記めくり動画データ取得手段及び前記再生制御プログラム取得手段は、前記ＤＶＤ−ｖｉｄｅｏデータファイルのデータが記録されたＤＶＤ−ｖｉｄｅｏディスクから、該ＤＶＤ−ｖｉｄｅｏデータファイルのデータを読み取るＤＶＤ読取装置を含んで構成される請求項１ないし請求項９のいずれか１項に記載の冊子型コンテンツ表示装置。
【請求項１１】
前記見開き画像データ取得手段、前記めくり動画データ取得手段及び前記再生制御プログラム取得手段は、前記ＤＶＤ−ｖｉｄｅｏデータファイルのデータを、通信網を介して受信取得するＤＶＤ−ｖｉｄｅｏデータ受信装置を含んで構成される請求項１ないし請求項９のいずれか１項に記載の冊子型コンテンツ表示装置。
【請求項１２】
ＤＶＤ−ｖｉｄｅｏデータファイルが、ＤＶＤ読取装置により読み取り可能に記録されたとして構成されたＤＶＤ−ｖｉｄｅｏディスクであって、
冊子型コンテンツの各見開きページを前記表示装置にて表示するための複数の見開き画像データが、前記ＤＶＤ−ｖｉｄｅｏデータファイルのＶＯＢファイルとして組み込まれ、
それら各見開きページをめくる形で、１ページ後の見開きページへと遷移させる順方向の立体めくりアニメーションと、１ページ前の見開きページに遷移させる逆方向の立体めくりアニメーションとを前記表示装置にて再生するためのそれぞれのめくり動画データが、前記ＤＶＤ−ｖｉｄｅｏデータファイルのＶＯＢファイルとして組み込まれ、
前記見開き画像データに基づいて見開きページを表示し、なおかつ当該見開きページの表示中に、当該見開きページに対応する順方向と逆方向の立体めくりアニメーションの再生入力をそれぞれ受け付け可能とするメニュー画面を前記表示装置に表示するメニュー画面表示手段と、前記再生入力を受け付けるに伴い、表示されていた前記見開きページに代わって当該再生入力を受け付けた立体めくりアニメーションを前記表示装置に表示するべく対応するめくり動画データを再生する本編映像再生手段と、再生された立体めくりアニメーションが表現する遷移先の見開きページと当該見開きページの表示中に再生入力の受け付けが可能となる立体めくりアニメーションとを特定し、前記立体めくりアニメーションの再生終了に伴い、前記メニュー画面表示手段に対し、当該立体めくりアニメーションに代わって、特定された見開きページを表示し、なおかつ特定された立体めくりアニメーションの再生入力を受け付け可能とする新たなメニュー画面を表示させるメニュー画面切替手段と、を有した前記コンテンツ再生制御手段の前記各構成手段を前記ＤＶＤ読取装置上にて機能実現するプログラムファイルが、前記ＤＶＤ−ｖｉｄｅｏデータファイルのＩＦＯファイルとして組み込まれてなることを特徴とする冊子型コンテンツ表示用ＤＶＤ−ｖｉｄｅｏディスク。
【発明の詳細な説明】
【技術分野】
【０００１】
本発明は、冊子型コンテンツ表示装置及び冊子型コンテンツ表示用ＤＶＤ−ｖｉｄｅｏディスクに関する。
【背景技術】
【０００２】
【特許文献１】特開２００５−２０４３３８号公報
【０００３】
近年、大容量記憶メディアとしてＤＶＤが広く普及し、映画等のさまざまな映像コンテンツが市場に供給されている。同様に、こうした大容量記憶メディアに記憶される映像コンテンツを再生する映像再生装置についても、普及が既に進んでいる。例えばＤＶＤ再生機能を搭載の映像装置等は既に多くの家庭に普及しており、多くのユーザーがＤＶＤに記憶される映画等の映像コンテンツを閲覧している。
【０００４】
ＤＶＤに記憶される映画等の映像コンテンツは、通常はＤＶＤ−ｖｉｄｅｏ等の所定の映像コンテンツ再生用フォーマットに従い記録される。このフォーマットに従う形で映像データが記録されることにより、一般に普及しているＤＶＤ再生装置において容易に再生することが可能となる。つまり、ＤＶＤ−ｖｉｄｅｏフォーマットに従いＤＶＤに記録された映像コンテンツは、ＤＶＤ再生装置に認識させることで、直ちにメニューや本編映像の再生が始まり、さらに、装置本体やリモコンに設けられた操作部から様々な操作制御が可能となる。
【発明の概要】
【発明が解決しようとする課題】
【０００５】
ところで、デジタルカタログ等の冊子型コンテンツについては、映画等の映像コンテンツとは異なっており、上述したＤＶＤ再生装置等の一般の映像再生装置ではなくパソコン等を通して閲覧することが一般的である。具体的にいえば、パソコンに既にインストールされているブラウザソフト等を利用して閲覧可能とされている。これにより、さまざまな演出効果を駆使したデジタルブックを提供することが可能となる。ところが、こうしたデジタルコンテンツは、パソコンを立ち上げてからでなければ閲覧できないという不利がある。また、独自の操作インターフェースが設けられる等、操作性において一般のＤＶＤ再生装置で再生できる映像コンテンツに比べて劣る。
【０００６】
本発明の課題は、一般ユーザーが容易に閲覧可能となる冊子型コンテンツ表示装置ならびに冊子型コンテンツ表示用ＤＶＤ−ｖｉｄｅｏディスクを提供することにある。
【課題を解決するための手段及び発明の効果】
【０００７】
上記課題を解決するために、本発明の冊子型コンテンツ表示装置は、
ＤＶＤ−ｖｉｄｅｏデータファイルとして構成された冊子型コンテンツを表示する冊子型コンテンツ表示装置であって、
前記冊子型コンテンツの表示出力先となる表示装置と、
前記冊子型コンテンツの各見開きページを前記表示装置にて表示するための複数の見開き画像データを、前記ＤＶＤ−ｖｉｄｅｏデータファイルのＶＯＢファイルから取得する見開き画像データ取得手段と、
それら各見開きページをめくる形で、１ページ後の見開きページへと遷移させる順方向の立体めくりアニメーションと、１ページ前の見開きページに遷移させる逆方向の立体めくりアニメーションとを前記表示装置にて再生するためのそれぞれのめくり動画データを、前記ＤＶＤ−ｖｉｄｅｏデータファイルのＶＯＢファイルから取得するめくり動画データ取得手段と、
前記冊子型コンテンツを前記表示装置にてめくり表示可能とする再生制御プログラムを、前記ＤＶＤ−ｖｉｄｅｏデータファイルのＩＦＯファイルから取得する再生制御プログラム取得手段と、
取得した前記再生制御プログラムに基づいて前記冊子型コンテンツの表示制御を実施するコンテンツ再生制御手段であって、前記見開き画像データに基づいて見開きページを表示し、なおかつ当該見開きページの表示中に、当該見開きページに対応する順方向と逆方向の立体めくりアニメーションの再生入力をそれぞれ受け付け可能とするメニュー画面を前記表示装置に表示するメニュー画面表示手段と、前記再生入力を受け付けるに伴い、表示されていた前記見開きページに代わって当該再生入力を受け付けた立体めくりアニメーションを前記表示装置に表示するべく対応するめくり動画データを再生する本編映像再生手段と、再生された立体めくりアニメーションが表現する遷移先の見開きページと当該見開きページの表示中に再生入力の受け付けが可能となる立体めくりアニメーションとを特定し、前記立体めくりアニメーションの再生終了に伴い、前記メニュー画面表示手段に対し、当該立体めくりアニメーションに代わって、特定された見開きページを表示し、なおかつ特定された立体めくりアニメーションの再生入力を受け付け可能とする新たなメニュー画面を表示させるメニュー画面切替手段と、を有した前記コンテンツ再生制御手段と、
を備えることを特徴とする。
【０００８】
また、上記課題を解決するために、本発明の冊子型コンテンツ表示用ＤＶＤ−ｖｉｄｅｏディスクは、
ＤＶＤ−ｖｉｄｅｏデータファイルが、ＤＶＤ読取装置により読み取り可能に記録されたとして構成されたＤＶＤ−ｖｉｄｅｏディスクであって、
冊子型コンテンツの各見開きページを前記表示装置にて表示するための複数の見開き画像データが、前記ＤＶＤ−ｖｉｄｅｏデータファイルのＶＯＢファイルとして組み込まれ、
それら各見開きページをめくる形で、１ページ後の見開きページへと遷移させる順方向の立体めくりアニメーションと、１ページ前の見開きページに遷移させる逆方向の立体めくりアニメーションとを前記表示装置にて再生するためのそれぞれのめくり動画データが、前記ＤＶＤ−ｖｉｄｅｏデータファイルのＶＯＢファイルとして組み込まれ、
前記見開き画像データに基づいて見開きページを表示し、なおかつ当該見開きページの表示中に、当該見開きページに対応する順方向と逆方向の立体めくりアニメーションの再生入力をそれぞれ受け付け可能とするメニュー画面を前記表示装置に表示するメニュー画面表示手段と、前記再生入力を受け付けるに伴い、表示されていた前記見開きページに代わって当該再生入力を受け付けた立体めくりアニメーションを前記表示装置に表示するべく対応するめくり動画データを再生する本編映像再生手段と、再生された立体めくりアニメーションが表現する遷移先の見開きページと当該見開きページの表示中に再生入力の受け付けが可能となる立体めくりアニメーションとを特定し、前記立体めくりアニメーションの再生終了に伴い、前記メニュー画面表示手段に対し、当該立体めくりアニメーションに代わって、特定された見開きページを表示し、なおかつ特定された立体めくりアニメーションの再生入力を受け付け可能とする新たなメニュー画面を表示させるメニュー画面切替手段と、を有した前記コンテンツ再生制御手段の前記各構成手段を前記ＤＶＤ読取装置上にて機能実現するプログラムファイルが、前記ＤＶＤ−ｖｉｄｅｏデータファイルのＩＦＯファイルとして組み込まれてなることを特徴とする。
【０００９】
上記本発明の構成によれば、冊子型コンテンツがＤＶＤ−ｖｉｄｅｏフォーマットに従うＤＶＤ−ｖｉｄｅｏデータファイルとして構成されているため、一般家庭に普及しているＤＶＤ再生装置と表示装置とにより、本発明の冊子型コンテンツ表示装置を構成できる。このため、一般の映画等のＤＶＤ−ｖｉｄｅｏディスクと同じ操作感覚で冊子型コンテンツを閲覧することが可能となる。即ち、冊子型コンテンツの見開きページは、映画等のＤＶＤ−ｖｉｄｅｏディスクにおけるメニュー画面として表示されるから、こうしたＤＶＤ−ｖｉｄｅｏディスクを頻繁に利用するユーザーであれば、そのメニュー画面をどのように操作するかは一目で理解できる。また、映画等のＤＶＤ−ｖｉｄｅｏディスクにおける本編映像が、見開きページをめくるアニメーションとされているから、メニュー画面から見たい本編映像を選択する映画等のＤＶＤ−ｖｉｄｅｏディスクと同様の操作で、冊子型コンテンツの閲覧ページを次のページに進めたり、前のページに戻したりすることができる。
【００１０】
また、冊子型コンテンツの作成サイドとしても、本編映像としてページめくりアニメーションの動画をＶＯＢファイルとして組み込み、メニュー映像として見開きページの画像をＶＯＢファイルとして組み込み、さらに、各見開きページで再生可能とするページめくりアニメーションの動画の設定や、当該ページめくりアニメーションの再生終了に伴い表示する次の見開きページの設定といった制御情報をＩＦＯファイルとして組み込むだけでよく、一般のＤＶＤオーサリングソフトを用いれば、一般の映画等のＤＶＤ−ｖｉｄｅｏディスクと同様のやり方で、非常に簡易に冊子型コンテンツを作成できるという利点もある。
【００１１】
なお、ＤＶＤ−ｖｉｄｅｏ（ディー  ブイ  ディー  ビデオ）とは、ＤＶＤフォーラムにより制定された、ＤＶＤに複数の映像、音声、字幕を記録する高知のアプリケーションフォーマット（規格）である。
【００１２】
本発明においては、前記表示装置の画面上に、前記冊子型コンテンツの各見開きページと前記立体めくりアニメーションとを表示するためのコンテンツ表示領域を設定する画面表示設定手段を備えるとともに、前記見開きページ及び前記立体めくりアニメーションは、互いの間で滑らかに表示内容が切り替わるよう、前記コンテンツ表示領域において各々が表示する見開きページの表示ポジション及び表示サイズが一致して表示されるように構成できる。これにより、メニュー画面と本編映像との切り替わりの際の、見開きページのめくり始めやめくり終わりの描写をよりリアルなものとできる。
【００１３】
具体的には、前記立体めくりアニメーションのめくり動画データを構成する連続する画像フレーム群の先頭フレームを、ページめくり遷移前の見開きページと同じ画像を前記コンテンツ表示領域に表示させる画像フレームとし、当該画像フレーム群の最終フレームは、ページめくり遷移後の見開きページと同じ画像を前記コンテンツ表示領域に表示させる画像フレームとすることで、見開きページのめくり始めやめくり終わりの描写をよりリアルなものとできる。
【００１４】
本発明において、前記画面表示設定手段は、前記表示装置の画面上に、前記冊子型コンテンツのとを設定するものとできる。この場合、前記画面上にて、前記順方向めくり操作受付領域と前記逆方向めくり操作受付領域とを選択的に入力するための操作受付領域選択入力手段を備えた構成とできる。これらの操作受付領域は、操作受け付け領域選択入力手段（例えば、十字キー及び決定ボタン等）により選択可能な操作ボタンとしてもよい。操作受付の選択により順方向ないし逆方向のページめくり方向を直感的に決定できる。また、こうした画面上での選択操作は、メニュー画面から見たい本編映像を選択して再生させる、映画等のＤＶＤ−ｖｉｄｅｏディスクと同様の操作であるから、操作に戸惑うことも無い。
【００１５】
また、本発明においては、前記画面表示設定手段は、前記表示装置の画面上に、前記見開きページの表示中に表示受け付け可能な画像データ毎に設けられ、それら各画像データを表示させるための操作受付領域（順方向めくり操作受付領域と逆方向めくり操作受付領域を含む）を設定し、前記操作受付領域選択入力手段は、前記画面上にて、前記操作受付領域のいずれかへの選択操作により、対応する画像データ（動画データや静止画データ）の表示入力（再生入力を含む）が受け付けられるよう構成できる。これにより、見開きページの補足用の動画や静止画等を表示可能となるので、より内容の濃い冊子型コンテンツとすることができる。また、その再生操作・表示操作が、メニュー画面から見たい本編映像を選択して再生・表示させる、映画等のＤＶＤ−ｖｉｄｅｏディスクと同様の操作であるから、操作に戸惑うことも無い。
【００１６】
また、前記見開きページには、当該見開きページの前記めくり動画データとは別の画像データを表示可能とする別画像表示可能ページが含まれていてもよい。この場合、前記別の画像データを、前記ＤＶＤ−ｖｉｄｅｏデータファイルのＶＯＢファイルから取得する別画像データ取得手段と、前記別の画像データの表示入力がなされた場合に、当該別の画像データを前記コンテンツ表示領域に、表示中の前記見開きページに重なる形で表示する別画像データ表示手段と、を備えて構成することができる。これにより、見開きページの補足用の動画や静止画等を見開きページ表示中にも閲覧可能となる。また、こうした別画像のデータも、ＤＶＤ−ｖｉｄｅｏの規格に従うＶＯＢファイルとして組み込まれるので、作成サイドの負担が増えることも無い。
【００１７】
上記別の画像データとしては、表示中の前記見開きページを拡大表示する拡大画像データとすることができる。この場合、拡大画像データは、表示中の前記見開きページを複数の領域に分割し、分割された各領域を拡大した形で、予め定められた順序で表示されるものとすることができる。このときの拡大画像データの表示は、静止画のスライドショーとしてもよいが、動画としてもよい。また、前記別の画像データとしては、表示中の前記見開きページに関連した内容の動画データとしてもよい。これらにより、より内容の充実した冊子型コンテンツとなる。
【００１８】
本発明の見開き画像データ取得手段、前記めくり動画データ取得手段及び前記再生制御プログラム取得手段は、前記ＤＶＤ−ｖｉｄｅｏデータファイルのデータが記録されたＤＶＤ−ｖｉｄｅｏディスクから、該ＤＶＤ−ｖｉｄｅｏデータファイルのデータを読み取るＤＶＤ読取装置を含んで構成することができる。これにより、一般のＤＶＤ−ｖｉｄｅｏディスクが再生できる装置であれば、新たなソフトウェアを何ら追加することなく即時に冊子型コンテンツを表示・閲覧することができる。
【００１９】
また、本発明の見開き画像データ取得手段、前記めくり動画データ取得手段及び前記再生制御プログラム取得手段は、前記ＤＶＤ−ｖｉｄｅｏデータファイルのデータを、通信網を介して受信取得するＤＶＤ−ｖｉｄｅｏデータ受信装置を含んで構成することもできる。これにより、冊子型コンテンツ表示用のＤＶＤ−ｖｉｄｅｏデータを、インターネットなどの通信網を介してダウンロードすることにより冊子型コンテンツを容易に再生・表示することができる。
【図面の簡単な説明】
【００２０】
【図１】本発明の冊子型コンテンツ表示システムの電気的構成の一例を示すブロック図。
【図２】図１の冊子型コンテンツ表示システムを、市販のＤＶＤプレーヤを流用して構成した場合の外観の一例を示す図。
【図３】図２の冊子型コンテンツ表示システムにおいて見開きページ画像を表示するメニュー画面の第一例を示す図。
【図４】順方向ページめくりアニメーションの表示流れを示す説明図。
【図５】逆方向ページめくりアニメーションの表示流れを示す説明図。
【図６】本発明の冊子型コンテンツ表示用ＤＶＤ−ｖｉｄｅｏディスクが採用する、ＤＶＤ−ｖｉｄｅｏフォーマットのデータフォルダ構成を示す説明図。
【図７】図２の冊子型コンテンツ表示システムにおいて見開きページ画像を表示するメニュー画面の第二例を示す図。
【図８】本発明の冊子型コンテンツ表示用ＤＶＤ−ｖｉｄｅｏディスクを再生したときの初期メニュー画面の第一表示例を示す説明図。
【図９】本発明の冊子型コンテンツ表示用ＤＶＤ−ｖｉｄｅｏディスクを再生したときの初期メニュー画面の第二表示例を示す説明図。
【図１０】ＶＯＢファイルのデータ構造の一例を示す説明図。
【図１１】図２のＤＶＤプレーヤを操作するためのリモコンの一例を示す図。
【図１２】本発明の冊子型コンテンツの再生処理を示すフローチャート。
【図１３】本発明の冊子型コンテンツの見開きページ画像を表示するメニュー画面に表示可能な拡大表示画像の表示例。
【図１４】本発明の冊子型コンテンツの見開きページ画像を表示するメニュー画面に表示可能な挿入画像の表示例。
【図１５】ＤＶＤ−ｖｉｄｅｏデータを、通信網や一般の記憶メディアを介して受信取得するようにした冊子型コンテンツ表示システムの構成の一例を示すブロック図。
【図１６】図１５の冊子型コンテンツ表示システムを、市販のパーソナルコンピュータを流用して構成した場合の外観の一例を示す図。
【図１７】図１５の冊子型コンテンツ表示システムを、市販の携帯電話機を流用して構成した場合の外観の一例を示す図。
【図１８】順方向ページめくりアニメーションの表示流れを示す説明図。
【図１９】逆方向ページめくりアニメーションの表示流れを示す説明図。
【発明を実施するための最良の形態】
【００２１】
本発明により実現されるデジタルコンテンツは、冊子型コンテンツ（デジタルブックコンテンツ）であって、各見開きページを閲覧可能とするだけでなく、その閲覧時の演出効果として、見開きページを別の見開きページに切り替える際に、今まで見ていた見開きページの片側のページがめくられていくページめくりアニメーション（めくり動画データ）を再生することにより、より見栄えのするコンテンツとされたものである。本発明は、このような冊子型コンテンツを、一般のＤＶＤ再生装置において簡易に再生・閲覧できるよう、ＤＶＤ−ｖｉｄｅｏフォーマット等のような所定の映像コンテンツ再生用フォーマットに従うファイル構成を利用して、効率的に実現したものである。
【００２２】
即ち、ＤＶＤ−ｖｉｄｅｏフォーマット等の予め定められた映像コンテンツ再生用フォーマットに従い作成される場合、背景となるメニュー映像を表示しつつ本編映像の再生操作を受け付けるメニュー画面を表示できる。このため、本発明においては、このメニュー画面の背景となるメニュー映像として、冊子型コンテンツの各見開きページを表示するようにした。同時に、このメニュー画面は、いわゆるチャプタリスト画面やタイトルリスト画面のように、本編映像を選択的に再生する選択操作を受け付けることが可能であるから、ここでの再生操作により再生・表示される本編映像として、このメニュー画面に表示されている見開きページを次の見開きページにめくるページめくりアニメーションと、このメニュー画面に表示されている見開きページを前の見開きページにめくるページめくりアニメーションとを割り当てている。
【００２３】
これにより、冊子型コンテンツの見開きページ画像を表示するメニュー画面から本編映像を選択・再生する操作をすると、選択・再生操作がなされた本編映像であるページめくりアニメーションが再生表示される。つまり、本編映像の選択・再生操作が、本発明におけるページめくり操作となるのである。そして、選択・再生された本編映像であるページめくりアニメーションの再生が終了すると、再び見開きページ画像を表示するメニュー画面に画面が戻る。ただし、本編映像の再生終了後に表示されるメニュー画面のメニュー映像は、直前のメニュー画面で表示されていた見開きページ画像ではなく、ページめくり操作によってめくられた先の見開きページを表示する別の見開きページ画像となる。このようにして、メニュー画面において本編映像を選択していくことで、冊子型コンテンツのページを順次進めて行く、あるいは順次戻していくことができ、冊子型コンテンツの各見開きページをページをめくっていく形式で閲覧することができる。
【００２４】
これら一連の処理は、映画ＤＶＤを一般の映像再生装置にて閲覧する際の、チャプタリストやタイトルリストから動画を選択・再生するときの処理と同様の処理であるから、映像再生装置側及びＤＶＤ（冊子型コンテンツ）側において、特殊なコマンドやプログラムの構築が不要であり、ＤＶＤ−ｖｉｄｅｏフォーマット等の所定の規格に従う既存のコマンドのみで容易に実現できる。また、映画ＤＶＤを見慣れた者であれば、本発明の冊子型コンテンツの閲覧操作に戸惑うこともなく、スムーズに閲覧操作ができる。
【００２５】
また、ＤＶＤビデオフォーマット等のような所定の映像コンテンツ再生用フォーマットは、本編映像とメニュー映像とをそれぞれ別ファイルにて記憶するファイル構成を有しているが、こうしたフォーマットの場合、本編映像及びメニュー映像の記憶容量に、メニュー映像よりも本編映像の方が大となる形で上限が設定されることがある。このため、本発明では、静止画等の比較的容量の少ない画像データが使用される見開きページ画像をメニュー映像として記憶し、比較的容量の大きい動画データが使用されるページめくりアニメーションを本編映像として記憶しているため、偏りある本編映像及びメニュー映像の記憶容量の上限にも適する。
【００２６】
以下、本発明の一実施形態を、図面を参照して説明する。
【００２７】
図１は、本発明の冊子型コンテンツ表示システムの電気的構成の一例を示すブロック図である。図１の冊子型コンテンツ表示システム１は、汎用の映像再生装置１ａとして構成されており、ここでは、予め定められた種の記憶媒体からデータを読み出すデータ入力装置１４、再生制御部１５、再生出力部１０、装置本体に設けられた本体操作部（操作パネル）１６、遠隔操作部（リモコン：図５参照）７０、遠隔操作部７０への操作に伴いその操作信号を無線受信（赤外線受信）する受信部（受光部）１５等が接続された構成を有する。映像再生装置１ａは、所定フォーマットに従い作成されたデジタルコンテンツを記憶した記憶媒体８０がデータ読取装置１４に認識されることにより、表示装置３０及び音声出力装置２０にて、当該デジタルコンテンツを映像さらには音声として再生出力する。
【００２８】
なお、本実施形態の映像再生装置１は、図２に示すようなＤＶＤ再生装置（ここではＤＶＤプレーヤ）１ａとして構成されている。また、本発明のデジタルコンテンツである冊子型コンテンツ５は、映像再生装置１ａを含む一般の映像再生装置において再生可能な映像コンテンツ再生用の所定フォーマットに従い作成されており、光記録媒体であるＤＶＤ−ｖｉｄｅｏディスク（冊子型コンテンツ表示用ＤＶＤ−ｖｉｄｅｏディスク）といった所定の記憶媒体８０に記録可能である。ここでの冊子型コンテンツ５は、ＤＶＤ−ｖｉｄｅｏフォーマットに従って作成されており、これを格納するＤＶＤメディア８０をＤＶＤ再生装置１に装着して再生することにより、装置１に接続されたテレビ装置ないしモニタからなる表示装置３０上でこれを表示・閲覧可能とするものである。
【００２９】
ここで、本発明のデジタルコンテンツについて説明する。
【００３０】
本発明のデジタルコンテンツは冊子型コンテンツであって、図３のような見開きページ５１を複数有しており、表示装置３０の画面３０ａにて、それら各見開きページ５１のページ画像を閲覧可能とされている。図３では、見開きの片方のページ（第一ページ）と、もう片方のページ（第二ページ）からなる完全見開き状態の見開きページ５１が表示される。さらに、閲覧時の演出効果として、ページを移動する際に、今まで見ていた見開きページ５１のうちの一方のページがめくられていく図４や図５に示すような立体ページめくりアニメーション（めくり動画）５８，５９が表示されるように構成されており、ブック表示タイプの見栄えのするコンテンツとなっている。図４では、完全見開き状態の見開きページ５１の表示状態から右方向にページをめくって、めくり先（遷移先）となる見開きページ５１’（５１）が完全見開き状態となるまでの様子を表すアニメーション５８が図示されており、図５では、完全見開き状態の見開きページ５１の表示状態から左方向にページをめくって、めくり先（遷移先）の見開きページ５１’（５１）が完全見開き状態となるまでの様子を表すアニメーション５９が図示されている。
【００３１】
このようなページめくり閲覧型の冊子型コンテンツとするために、本実施形態の冊子型コンテンツ５は、ＤＶＤ−ｖｉｄｅｏフォーマットに従う映像コンテンツとして作成されており、本編映像（本編データ）の再生操作が可能なメニュー画面５０として、完全見開き状態の各見開きページ５１を表示し、なおかつ完全見開き状態の各見開きページ５１をめくり方向において隣接するいずれかにページに遷移するページめくりアニメーションを本編映像として選択的に再生することが可能な画面を表示するよう構成されている。ページめくりアニメーションの再生が終了した後には、新たなメニュー画面５０として、めくり先の見開きページ５１を表示し、なおかつ当該見開きページに対応するページめくりアニメーションを選択的に再生可能な画面を表示するよう構成されている。
【００３２】
なお、本実施形態の冊子型コンテンツ５におけるページめくりアニメーションは、図４及び図５に示すように、めくられていくページのページ枠とともにページ枠内の描画内容までもが、そのめくり角度に応じて傾斜描画されるアニメーションである。このため、ある２つの見開きページ間でのめくり動画は、左方向のめくりと右方向のめくりとで、双方を異なる動画データとしてそれぞれ別に用意しておく必要がある。さらには、めくられていくページ上の描画内容もページ毎に異なるから、めくり対象となる見開きページとめくり先の見開きページとからなる対ごとに、対応するめくり動画データが用意される。当然、めくり対象となる見開きページとめくり先の見開きページとが入れ替わった対に関しては、入れ替わっていない対に対応するめくり動画データとは異なるめくり動画データが対応付けられて用意される。
【００３３】
本実施形態の冊子型コンテンツ５における右又は左へのページめくり操作（本編データの選択再生操作）は、メニュー画面に表示される見開きページ画像を左右に１ページめくる操作とだけではなく、複数ページを一括してめくるページめくり操作も可能とされており、これらの一括してめくるページめくりアニメーションについても、それぞれめくり動画データが用意される。
【００３４】
具体的にいえば、本発明の冊子型コンテンツ５のデータは、ＤＶＤ−ｖｉｄｅｏディスク８０に記録されており、ＤＶＤ再生装置１ａにて再生処理されることにより、図２に示すような冊子型コンテンツ５として表示装置３０に表示される。冊子型コンテンツ５のデータは、ＤＶＤ−ｖｉｄｅｏフォーマットに規定されたコマンド群を用いてＤＶＤ−ｖｉｄｅｏディスク８０上に記述された再生制御プログラム（コンテンツ再生制御手段の機能実現プログラムである）をＤＶＤ再生装置１ａ側で解釈・実行することにより、当該再生制御プログラムの流れに従って制御される。従って、ＤＶＤ再生装置１ａには、後述のごとく、ＤＶＤ−ｖｉｄｅｏディスク８０に記録された圧縮動画ストリームデータファイルのデコード処理や、ディスク内のデータ構造及び再生制御プログラムコマンドの解釈と、個々のコマンドに対応するハードウェア制御モジュールを実行するためのソフトウェアないしハードウェアロジックが搭載されている。
【００３５】
上記の再生制御プログラムの記述内容は、以下の各構成手段を機能実現するものである。即ち、見開き画像データに基づいて見開きページ５１を表示し、なおかつ当該見開きページ５１の表示中に、当該見開きページ５１に対応する順方向の立体めくりアニメーション５８（例えば図４）と逆方向の立体めくりアニメーション５９（例えば図５）の再生入力をそれぞれ受け付け可能とするメニュー画面５０（例えば図３（ａ））を表示装置３０に表示するメニュー画面表示手段と、前記再生入力を受け付けるに伴い、表示されていた見開きページ５１に代わって当該再生入力を受け付けた立体めくりアニメーション５８又は５９（ここでは５８）を表示装置３０に表示するべく、当該立体めくりアニメーション５８又は５９のめくり動画データを再生する本編映像再生手段と、再生された立体めくりアニメーション５８又は５９が表現する遷移先の見開きページ５１（５１’）と当該見開きページ５１（５１’）の表示中に再生入力の受け付けが可能となる順方向の立体めくりアニメーション５８’（図示なし）と逆方向の立体めくりアニメーション立体めくりアニメーション５９’（図示なし）とを特定し、再生中の立体めくりアニメーション５８又は５９の再生終了に伴い、メニュー画面表示手段に対し、当該立体めくりアニメーション５８又は５９に代わって、特定された見開きページ５１（５１’）を表示し、なおかつ特定された順方向の立体めくりアニメーション５８’と逆方向の立体めくりアニメーション５９’の再生入力を受け付け可能とする新たなメニュー画面５０（例えば図３（ｂ））を表示させるメニュー画面切替手段と、を機能実現するプログラムである。
【００３６】
前述のごとく、この再生制御プログラムは、一般のＤＶＤ−ｖｉｄｅｏディスク（例えば、映画やドラマなどのエンタテインメント映像を記録したディスクや、テレビ番組ないしホームビデオなどの録画映像を記録したディスク）に記録されている再生制御プログラムと同様に、ＤＶＤ−ｖｉｄｅｏフォーマットに規定されたコマンド群を用いて記述されている。従って、本発明の冊子型コンテンツ表示用ＤＶＤ−ｖｉｄｅｏディスク８０は、上記一般のＤＶＤ−ｖｉｄｅｏディスクと同様に、特に新たなアプリケーションソフトウェアやハードウェアの追加を行なわずとも、汎用（市販）のＤＶＤ再生装置１ａにて直ちに再生が可能なものである。
【００３７】
ＤＶＤ−ｖｉｄｅｏディスク８０には、図６に示すように、ＶＭＧ（Ｖｉｄｅｏ  Ｍａｎａｇｅｒ）ファイル群１８０ａとＶＴＳ（Ｖｉｄｅｏ  Ｔｉｔｌｅ  Ｓｅｔ）ファイル群１８０ｂとからなるＤＶＤ−ｖｉｄｅｏデータファイル８０ｄが記録されている。冊子型コンテンツ５の各見開きページ５１を表示装置３０にて表示するための複数の見開き画像データは、それらファイル群１８０ａ，１８０ｂのいずれかのＶＯＢファイル（ここではＶＴＳ＿＃＃＿０．ＶＯＢ）として組み込むまれ、冊子型コンテンツ５の各見開きページ５１をめくる立体めくりアニメーション５８，５９を表示装置３０にて表示するための複数のめくり動画データは、それらファイル群１８０ａ，１８０ｂのいずれかのＶＯＢファイル（ここではＶＴＳ＿＃＃＿＊．ＶＯＢ：ここでの＊には１〜９のいずれかを入れることができる）として組み込むまれ、再生制御プログラム（コンテンツ再生制御手段に含まれる各構成手段の機能実現プログラムファイル）は、それらファイル群１８０ａ，１８０ｂのいずれかのＩＦＯファイルとして組み込まれる。
【００３８】
ＶＭＧファイル群１８０ａはディスク全体の制御に関与するものであり、
ＶＩＤＥＯ＿ＴＳ．ＩＦＯ
ＶＩＤＥＯ＿ＴＳ．ＶＯＢ
ＶＩＤＥＯ＿ＴＳ．ＢＵＰ
の３つのファイルを含む。また、ＶＴＳファイル群１８０ｂは、実際の映像などの実データや各タイトルの制御に関与するものであり、
ＶＴＳ＿＃＃＿＊．ＩＦＯ
ＶＴＳ＿＃＃＿＊．ＶＯＢ
ＶＴＳ＿＃＃＿＊．ＢＵＰ
の３種のファイルを含む（「＃＃」には０１〜９９まで、＊には０〜９（０はタイトル制御情報ファイル）までのファイルを割り振ることが可能である）。
【００３９】
各ファイルの識別子は次の意味を持つ。
ＩＦＯ：制御情報ファイルであることを意味し、音声、字幕の選択やチャプタ情報などが記述される（ナビゲーションデータともいう）。
ＶＯＢ：映像や音声、字幕など実際のデータが入っているファイルであることを意味する。具体的なデータ形式は、映像についてはＪＰＥＧ、ＭＰＥＧ−２又はＭＰＥＧ−１等であり、音声についてはＷＡＶＥまたはＡＣ３であり、字幕はＢＭＰである（プレゼンテーションデータともいう）。
ＢＵＰ：ＩＦＯファイルのバックアップファイルであることを意味する。ディスクの損傷などによりＩＦＯファイルが読み込めない場合にこのファイルを読み込むことによって再生可能にする。
【００４０】
個々のファイルは次のような内容を有する。
（ＶＭＧファイル群１８０ａ）
ＶＩＤＥＯ＿ＴＳ．ＩＦＯ：全体を制御する情報ファイル。各ＶＴＳ（タイトル）の映像情報、音声、字幕情報なども記録している。ＤＶＤを挿入時には、初めにこの情報を参照する。ここからタイトルのメニューに飛んだり、映像を再生したりしている。該ファイルの内容変更により、ＤＶＤ挿入時にメニューを表示させるのか、すぐに再生を開始するのか、などの制御を変更したりできる。
ＶＩＤＥＯ＿ＴＳ．ＶＯＢ：タイトルメニューの映像、音声などが入っている実データファイル。ＶＩＤＥＯ＿ＴＳ．ＩＦＯによって制御されている。映画ならば、警告画像や配給元画像などがおかれていることが多い。またファイル自体が存在しないこともある。
ＶＩＤＥＯ＿ＴＳ．ＢＵＰ：ＶＩＤＥＯ＿ＴＳ．ＩＦＯのバックアップファイル。
【００４１】
なお、本発明においては、例えば、１枚のＤＶＤ−ｖｉｄｅｏディスクに１つの冊子型コンテンツのみを収録することもできるし、複数の冊子型コンテンツを収録することもできる。この場合は、各タイトルは収録されている個々の冊子型コンテンツの内容を与えるものとなる。冊子型コンテンツが１タイトルのみ収録されている場合は、図７に示すように、ＶＩＤＥＯ＿ＴＳ．ＩＦＯにて、冊子型コンテンツ５のトップページ５１Ａを表示するメニュー画面５０の表示を開始させるように制御記述することが可能である。一方、複数の冊子型コンテンツ５が収録されている場合は、図８に示すように、ＶＩＤＥＯ＿ＴＳ．ＩＦＯにて、収録されている冊子型コンテンツ５を一覧表示するメニュー画面５０Ｍを表示するように制御記述することが可能である。この場合、メニュー画面５０Ｍにて所望の冊子型コンテンツ５を選択し、再生開始操作入力を行うことで、図７と同様に、選択された冊子型コンテンツ５のトップページ５１Ａを表示するメニュー画面５０の表示が開始されるようにＶＩＤＥＯ＿ＴＳ．ＩＦＯの内容が記述される。
【００４２】
また、１つの冊子型コンテンツの各章をタイトル分割してＤＶＤ−ｖｉｄｅｏディスクに収録することも可能である。この場合、ＶＩＤＥＯ＿ＴＳ．ＩＦＯは、図９に示すように、冊子型コンテンツの各章を目次形式にて一覧表示するメニュー画面５０Ｍを表示するように制御記述しておくとよい。この場合、メニュー画面５０Ｍにて所望の章を選択し、再生開始操作入力を行うことで、冊子型コンテンツの選択された章のトップページを表示するメニュー画面５０の表示が開始されるようにＶＩＤＥＯ＿ＴＳ．ＩＦＯの内容が記述される。
【００４３】
（ＶＴＳファイル群１８０ｂ）
ＶＴＳ＿＃＃＿０．ＩＦＯ：各ＶＴＳにあるファイルでＶＴＳ内のＶＯＢファイル（映像や音声、字幕）を制御しており、ファイル記述内容に応じてセルの再生順や音声、字幕の選択、メニューボタンのリンク先などが設定可能である（ここでは、タイトル＃＃を制御する情報ファイルとされている）。
ＶＴＳ＿＃＃＿０．ＢＵＰ：ＶＴＳ＿＃＃＿０．ＩＦＯのバックアップファイル。
ＶＴＳ＿＃＃＿０．ＶＯＢ：タイトル＃＃のメニュー実データファイル（メニューデータファイル）。冊子型コンテンツの各見開きページの画像データ（見開き画像データ）、さらには音声（ページめくり時のページめくり音など）や字幕選択画像などが入っている。また、メニュー画面上に設定されるボタン（操作領域）のジャンプ先の情報も記述されている（つまり、図８や図９のメニュー画面では、冊子型コンテンツないし章のタイトル画像がボタンとなっており、どのボタンが選択され実行されたかに応じて、対応するメニュー画面（見開きページ）ないしは本編映像（立体ページめくりアニメーション）のどれにジャンプするかがここに記述される。また、図３や図７のメニュー画面では、ページをめくるためのボタン５２が設けられており、どのボタン５２が選択されたかに応じて、対応するメニュー画面（見開きページ）ないしは本編映像（立体ページめくりアニメーション等）のどれにジャンプするかがここに記述される）。
【００４４】
ＶＴＳ＿＃＃＿１〜９．ＶＯＢ：タイトル＃＃の映像、音声、字幕の入っている本編実データファイル（本編データファイル）。ＶＴＳ内のＶＴＳ＿＃＃＿０．ＩＦＯによって制御されている。ファイルサイズによってＶＴＳ＿＃＃＿１．ＶＯＢからＶＴＳ＿＃＃＿９．ＶＯＢまでのファイルが存在する。＃＃はＶＴＳごとに０１から最大９９まで設定することが可能である。１ＧＢ単位に、ＶＴＳ＿＃＃＿１・・・ＶＴＳ＿＃＃＿２・・・ＶＴＳ＿＃＃＿３・・・と続いていく。本発明の立体ページめくりアニメーションを表示するためのめくり動画データを与えるものである。これらのファイルには、タイトル＃＃のメニュー実データ（ＶＴＳ＿＃＃＿０．ＶＯＢ）により表示される見開きページ（メニュー画面）から遷移可能な別の見開きページ（メニュー画面）へとページをめくるめくり動画データがそれぞれ格納されている（ここでは「ＶＴＳ＿＃＃＿１．ＶＯＢ」〜「ＶＴＳ＿＃＃＿４．ＶＯＢ」）。さらに、各めくり動画データ（本編映像）の再生終了後のジャンプ先の情報も記述されている。また、これらのファイルに、タイトル＃＃のメニュー実データ（ＶＴＳ＿＃＃＿０．ＶＯＢ）により表示されるメニュー画面において表示可能となる、後述する別画像データ（例えば図１３や図１４を表示するための画像データ）を格納するファイルを追加して設けることもできる（例えば「ＶＴＳ＿＃＃＿５．ＶＯＢ」や「ＶＴＳ＿＃＃＿６．ＶＯＢ」）。つまり、タイトル＃＃のメニュー画面から再生可能な動画データが、タイトルが同じＶＯＢファイル（ＶＴＳ＿＃＃＿１〜９．ＶＯＢ）として整理された形で格納されている。ただし、必ずしもこのように整理されている必要は無く、別タイトルのＶＯＢファイルに格納されていてもよい。少なくともメニュー画面上のボタン５２を操作して、対応する動画データが再生されるようにプログラムされていればよい。
【００４５】
上記の実データ（ＶＯＢファイルのデータ内容）は、図１０に示すように、さらに細かいセル（ｃｅｌｌ）に分けられており、固有のＶＯＢ−ＩＤ／ｃｅｌｌ−ＩＤがつけられている。具体的な構成は以下の通りである。
ＶＴＳ（タイトルセット番号）：ＶＴＳ０１＿１．ＶＯＢ  ＶＴＳ０２＿１．ＶＯＢ  などの単位。
ＰＧＣ（プログラム・チェーン）：ＶＯＢファイルの再生の条件、時間、および再生順序を制御している。ＶＭＧ内の最初のＰＧＣ名は「Ｆｉｒｓｔ  Ｐｌａｙ  ＰＧＣ」と定義されている。
ＰＴＴ（チャプタ番号）：一般的にメニューのチャプタはこの単位にジャンプしている。
ＰＧ（プログラム番号）：コマンドにより記述された再生制御プログラムの単位として使用。
ｃｅｌｌ（セル番号）：ＶＯＢ−ＩＤ／ｃｅｌｌ−ＩＤをここに指定して再生を行う。また、セル番号には任意のＶＯＢ−ＩＤ／ｃｅｌｌ−ＩＤを指定することができる（従って、指定内容によっては、必ずしもＶＯＢ−ＩＤ／ｃｅｌｌ−ＩＤ順に再生されるというわけではない）。
【００４６】
図１に戻り、ＤＶＤ読取装置１４は、図示されないトレイに載置されたＤＶＤ−ｖｉｄｅｏディスク８０を回転駆動するとともに、回転駆動するＤＶＤ−ｖｉｄｅｏディスク８０から読み取った再生データのうち、プレゼンテーションデータ（前述のＶＯＢファイル：本編データファイルやメニューデータファイルのデータ）を再生出力部１０に出力し、ナビゲーションデータ（前述のＩＦＯファイル：再生制御プログラムのデータ）を再生制御部１５に出力する。
【００４７】
再生出力部１０は、ＤＶＤドライバ１８を介して読み込んだプレゼンテーションデータをデマルチプレクサ（ＤＥＭＵＸ）１０ａにて読み込み、当該プレゼンテーションデータから映像データや音声データ等を抽出する。オーディオデコーダ１０ｂは、抽出された音声データをデコードして音声出力装置２０に出力し、ビデオデコーダ１０ｃは抽出された動画データをデコードして表示装置３０に出力する。サブピクチャ処理部１０ｄは、サブピクチャをデコードし、サブピクチャ処理部１０ｅにてサブピクチャ画像を生成するとともに、必要に応じて画像合成制御部１０ｆにおいて、生成されたサブピクチャ画像と、ビデオデコーダ１３にてデコードされた動画とを合成して表示装置３０に出力する。
【００４８】
再生制御部１５は、ＤＶＤドライバ１８を介して読み込んだナビゲーションデータと、本体操作部１６及び受信部（受光部）１７から入力される操作信号とに基づいて、デジタルコンテンツ（プレゼンテーション）の再生シーケンスを決定し、決定した再生シーケンスにおける、再生出力部１０の再生出力動作を制御する。
【００４９】
次に、再生制御部１５には、本体操作部（操作パネル）１６及び受信部（受光部）１７が接続されており、ユーザーが、上記の本体操作部（操作パネル）１６やリモコン７０（図１１）を操作することにより、再生／停止等のユーザー所望の処理を実行できる。図２において、本体操作部１６は、操作スイッチ１６として複数のプッシュスイッチ１６ａ〜１６ｈを備えており、再生／停止等を指示することができる。具体的には、１６ａが電源スイッチ、１６ｂがディスクトレーの開閉スイッチ、１６ｃ及び１６ｄがメニュー表示スイッチ、１６ｅが再生スイッチ、１６ｆが停止スイッチ、１６ｇが一時停止スイッチ、１６ｉが早送りスイッチ、１６ｈが早戻しスイッチである。いずれかの操作スイッチ１６へのプッシュ操作がなされると、その操作スイッチ１６に対応する操作信号が再生制御部１５に入力され、再生制御部１５は、この操作信号に基づいて再生出力部を制御し、デジタルコンテンツの再生／停止等を実行する。
【００５０】
他方、図１１において、リモコン７０は、操作ボタン７０ａ〜７０ｚを操作することにより、対応する操作信号が赤外線リモコン信号として出力される。この赤外線リモコン信号は図１の受信部（受光部）１７に受光されるに伴い、この受光部１７からリモコン７０上で操作された操作ボタンに対応する操作信号が上記再生制御部１５に入力される。再生制御部１５は、この操作信号に基づいて再生出力部を制御し、デジタルコンテンツの再生／停止等を実行する。
【００５１】
具体的には、７０ａが電源スイッチ、７０ｂがディスクトレーの開閉スイッチ、７０ｃ及び７０ｄがメニュー表示スイッチ、７０ｅが再生スイッチ、７０ｆが停止スイッチ、７０ｇが一時停止スイッチ、７０ｉが早送りスイッチ、７０ｈ、７０ｊがスキップスイッチ（チャプタジャンプ：戻る）、７０ｋがスキップスイッチ（チャプタジャンプ：進める）である。また、リモコン７０は、表示装置３０を入力表示画面として用いるグラフィックユーザーインターフェースの位置指示入力デバイスも兼ねており、指示位置移動スイッチ７０ｚは、画面３０ａ上での操作受付領域（ボタン等）の選択（カーソル移動）を行うためのものであり、決定スイッチ７０ｘはその選択状態の確定入力を行うためのものである。
【００５２】
以下、冊子型コンテンツ表示装置１の動作について、図１２のフローチャートを用いて説明する。
【００５３】
なお、図１２の処理（コンテンツ再生処理）は、再生可能な冊子型コンテンツを有したＤＶＤが認識されるとループする形で処理が継続するが、コンテンツ再生を強制終了する予め定められた操作コマンドを受け付けた際には、再生制御部１５が当該処理を強制的に終了する。再生を強制終了する操作コマンドとしては、操作部１６，７０における装置の電源をＯＦＦ操作や、トレイ開操作、停止操作等と定めることができる。
【００５４】
図２のＤＶＤ再生装置１ａの電源をＯＮとし、ディスクトレー開閉スイッチ１６ｂ又はリモコン７０のディスクトレー開閉スイッチ７０ｂを操作して、冊子型コンテンツ表示用ＤＶＤ−ｖｉｄｅｏディスク８０を装着し、再度ディスクトレー開閉スイッチを操作することで、ＤＶＤ再生装置１ａにディスク８０がロードされる。
【００５５】
ＤＶＤ再生装置１ａ側でディスク８０が認識され（Ｓ１）、ディスク８０上のＶＩＤＥＯ＿ＴＳ．ＩＦＯファイルを読み込み、ここにコマンド記述されたプログラムを実行する（Ｓ２）。これにより、予め定められたＶＴＳ＿０１〜９９＿０．ＶＯＢファイル（ここではＶＴＳ＿０１＿０．ＶＯＢファイルとする）からメニュー実データを読み込み（Ｓ３）、初期メニュー画面を表示する（Ｓ４）。ここでは、図７に示すような冊子型コンテンツのトップページ５１Ａを表示したメニュー画面５０が初期メニュー画面として表示される。なお、初期メニュー画面として、図８や図９に示すメニュー画面５０Ｍを表示したい場合には、ＶＩＤＥＯ＿ＴＳ．ＶＯＢファイルに当該メニュー画面５０Ｍを表示するためのメニュー実データを格納しておき、ＶＩＤＥＯ＿ＴＳ．ＩＦＯファイルの記述コマンドに従って当該メニュー実データを読み込んで初期メニュー画面を表示するようにすればよい。
【００５６】
冊子型コンテンツのページ画像を表示するメニュー画面５０が表示されているとき、画面３０ａ上には、順方向めくり操作受付領域をなす順方向めくりボタン（次ページボタン）５２ａ、逆方向めくり操作受付領域をなす逆方向めくりボタン（前ページボタン）５２ｂ、複数ページを一括してめくるための順方向一括めくりボタン（ここでは現ページから予め定められたページ（例えばラストページ）までページを進めるボタン）５２ｃ及び逆方向一括めくりボタン（ここでは現ページから予め定められたページ（例えばトップページ）までページを戻すボタン）５２ｄといった操作ボタン５２が表示される。使用者は、リモコン７０の指示位置移動スイッチ７０ｚを操作して、所望のボタン５２を選択し、決定スイッチ７０ｘを押す。
【００５７】
ただし、図７に示すような冊子型コンテンツのトップページを表示するメニュー画面では、表示中のページの前ページが存在しないため、順方向ページめくりのみが可能となるよう、対応するＩＦＯファイルの制御情報が記述されている。逆に、冊子型コンテンツのエンドページを表示するメニュー画面では次ページが存在しないため、逆方向ページめくりのみが可能になるよう、対応するＩＦＯファイルの制御情報が記述されている。当該制御情報には、ページが無い方向へのページめくり操作（ボタン操作）を無効化する記述がなされてもよいし、現在と同じメニュー画面を再表示する記述がなされてもよい。なお、トップページ及びエンドページは、表表紙や背表紙等のような片ページであってもよいが、これら表表紙や背表紙が除かれていてもよい。図７のような表表紙や背表紙のみが表示される片方だけのページ５１Ａは、もう片方のページ側にもページを表示するスペース５１Ｂが残されるもののそのスペース５１Ｂには何の表示もされていない。このように、もう片方のページ側にページ表示スペース５１Ｂが残されている片ページ５１Ａについても、本発明においては見開きページ５１の一種として含むものとする。
【００５８】
図７（図３でもよい）に示すようなメニュー画面の表示状態において、指示位置移動スイッチ７０ｚを操作して、操作可能なボタン５２（ここでは順方向めくりボタン５２ａ）を選択し、決定ボタン７０ｚを押下すると、ＶＴＳ＿０１〜９９＿１．ＶＯＢ（各ページのページめくりアニメーションを表示するめくり動画データを格納するＶＯＢファイル）のうち、選択したボタン５２（ここではボタン５２ａ）に対応するページめくりアニメーションの再生に使用するファイルがどれであるかを特定する（ここでは、ＶＴＳ＿０１＿１．ＶＯＢであったとする：Ｓ６）。そして、特定されたＶＯＢファイルに対応するＩＦＯファイル（ここではＶＴＳ＿０１＿０．ＩＦＯ）に格納されている再生制御プログラムに従い、特定されたＶＯＢファイル（ＶＴＳ＿０１＿１．ＶＯＢ）のめくり動画データを再生する（Ｓ７）。当該めくり動画データの再生されると（Ｓ８：Ｙｅｓ）、次に表示するべきメニュー画面５０（即ち冊子型コンテンツのページの画像ファイル）がどれであるかを特定する（ここでは、ＶＴＳ＿０２＿０．ＶＯＢであったとする：Ｓ９）。そして、当該めくり動画データの再生が終了した後、特定されたＶＯＢファイルに対応するＩＦＯファイル（ここではＶＴＳ＿０２＿０．ＩＦＯ）に格納されている再生制御プログラムに従い、特定されたＶＯＢファイル（ＶＴＳ＿０２＿０．ＶＯＢ）からメニュー実データを読み込んで、例えば図３や図７に示すような見開きページ５１等を表示するメニュー画面５０が表示される（Ｓ１０）。
【００５９】
図４は、冊子型コンテンツの各ページを表示したメニュー画面５０において、順方向めくりボタン５２ａを押下したときに再生されるページめくりアニメーション５８Ａの表示例であり、図５は、逆方向めくりボタン５２ｂを押下したときに再生されるページめくりアニメーション５９Ａの表示例を示すものである。この実施形態では、横書き左開きの冊子を例に取り、左めくり方向が順方向ページめくり方向、右めくり方向が逆方向ページめくり方向である。従って、図中、左から右へ進む流れが順方向めくりの場合の流れを、右から左へ進む場合が逆方向めくりの場合の流れとなる。
【００６０】
順方向めくり時の場合は、図４に示すごとく、めくり対象紙片である主ページ紙片６１Ｍは見開き状態で冊子右ページを構成し、補ページ紙片６１Ｃは左ページを構成する。補ページ紙片６１Ｃの現在表示中のページを第一ページ５１Ｌとし、主ページ紙片６１Ｍの現在表示中のページを第二ページ５１Ｒとし、該主ページ紙片６１Ｍの裏面を構成するページを第三ページ５１Ｌ’とし、第三ページ５１Ｌ’と対をなしてページめくり後の見開き状態を形成する主ページ紙片６１Ｍの下層ページを第四ページ５１Ｒ’とする。また、該主ページ紙片６１Ｍの紙片幅方向における綴じ合わせ側の縁をページ内縁とし、これと反対側の縁をページ外縁とする。
【００６１】
他方、逆方向めくり時の場合は、図５に示すごとく、めくり対象紙片である主ページ紙片６１Ｍは見開き状態で冊子左ページを構成し、右ページを構成する紙片６１Ｃ’が補ページ紙片を構成する。補ページ紙片６１Ｃ’の現在表示中のページ５１Ｒ’が第一ページとなり、主ページ紙片６１Ｍの現在表示中のページ５１Ｌ’が第二ページとなり、該主ページ紙片６１Ｍの裏面を構成するページ５１Ｒが第三ページとなり、第三ページ５１Ｒと対をなしてページめくり後の見開き状態を形成する主ページ紙片６１Ｍの下層ページ５１Ｌが第四ページとなる。なお、いうまでもなく、縦書き右開き冊子では各紙片の配置及びめくり方向の定義は全て上記の逆となるが、本実施形態では、横書き左開き冊子における順方向めくり時の場合で代表させて説明を行う。
【００６２】
すなわち、図４に示す順方向めくりの場合は、ページ内縁をめくり軸線として主ページ紙片６１Ｍを第四ページ５１Ｒ’の紙面から浮き上がらせつつ第一ページ５１Ｌ上へめくり転回させる立体ページめくりアニメーション５８Ａが表示され、第三ページ５１Ｌ’と第四ページ５１Ｒ’とからなるページめくり後の見開き表示状態へ切り替わる。また、図５に示す逆方向めくりの場合は、ページ内縁をめくり軸線として主ページ紙片６１Ｍを第四ページ５１Ｌの紙面から浮き上がらせつつ第一ページ５１Ｒ’上へめくり転回させる立体ページめくりアニメーション５９Ａが表示され、第三ページ５１Ｒと第四ページ５１Ｌとからなるページめくり後の見開き表示状態へ切り替わる。
【００６３】
これらのページめくりアニメーション表示は、ページ毎に有する、順方向ページめくり方向と逆方向ページめくり方向とのそれぞれのめくり動画データを再生することとにより実現している。なお、順方向めくりにて次ページの見開き状態に移行した場合は次ページボタン５２ａの選択状態が、逆方向めくりにて前ページの見開き状態に移行した場合は前ページボタン５２ｂの選択状態がそれぞれ保持されるボタンレジューム機能を付加しておくと、決定ボタン７０ｘを連続押下することで順方向ないし逆方向に連続的にページめくりすることができるので、便利である。
【００６４】
なお、図４及び図５は、１ページをめくるページめくりアニメーション５８Ａ，５９Ａを示しているが、本実施形態においては、図１８及び図１９のようなページめくりアニメーション５８Ｂ，５９Ｂも再生可能とされている。図１８は、冊子型コンテンツの各ページを表示したメニュー画面５０において、順方向めくりボタン５２ｃを押下したときに再生される、複数ページを順方向に一括してめくるページめくりアニメーション５８Ｂの表示例であり、図１９は、逆方向めくりボタン５２ｄを押下したときに再生される、複数ページを逆方向に一括してめくるページめくりアニメーション５９Ｂの表示例を示すものである。
【００６５】
図１８では、めくり対象紙片群である主ページ紙片群６１ＭＭは見開き状態で冊子右ページを構成し、補ページ紙片６１Ｃはその左ページを構成する。補ページ紙片６１Ｃの現在表示中のページを第一ページ５１Ｌとし、主ページ紙片群６１ＭＭの現在表示中のページを第二ページ５１Ｒとし、該主ページ紙片群６１ＭＭの裏面を構成するページを第三ページ５１Ｌ’とし、第三ページ５１Ｌ’と対をなして一括ページめくり後の見開き状態を形成する主ページ紙片群６１ＭＭの下層ページを第四ページ５１Ｒ’とする。
【００６６】
他方、図１９では、めくり対象紙片である主ページ紙片群６１ＭＭは見開き状態で冊子左ページを構成し、その右ページを構成する紙片６１Ｃ’が補ページ紙片を構成する。補ページ紙片６１Ｃ’の現在表示中のページ５１Ｒ’が第一ページとなり、主ページ紙片群６１ＭＭの現在表示中のページ５１Ｌ’が第二ページとなり、該主ページ紙片６１Ｍの裏面を構成するページ５１Ｒが第三ページとなり、第三ページ５１Ｒと対をなしてページめくり後の見開き状態を形成する主ページ紙片群６１ＭＭの下層ページ５１Ｌが第四ページとなる。なお、いうまでもなく、縦書き右開き冊子では各紙片の配置及びめくり方向の定義は全て上記の逆となるが、本実施形態では、横書き左開き冊子における順方向めくり時の場合で代表させて説明を行う。
【００６７】
すなわち、図１８に示す順方向めくりの場合は、ページ内縁をめくり軸線として主ページ紙片群６１ＭＭを第四ページ５１Ｒ’の紙面から浮き上がらせつつ第一ページ５１Ｌ上へめくり転回させる立体ページめくりアニメーション５８Ｂが表示され、第三ページ５１Ｌ’と第四ページ５１Ｒ’とからなるページめくり後の見開き表示状態へ切り替わる。また、図１９に示す逆方向めくりの場合は、ページ内縁をめくり軸線として主ページ紙片群６１ＭＭを第四ページ５１Ｌの紙面から浮き上がらせつつ第一ページ５１Ｒ’上へめくり転回させる立体ページめくりアニメーション５９Ｂが表示され、第三ページ５１Ｒと第四ページ５１Ｌとからなるページめくり後の見開き表示状態へ切り替わる。
【００６８】
メニュー画面として表示される冊子型コンテンツの各ページの画像データと、ページめくりアニメーションの動画データ（めくり動画データ）とは、互いに異なるＶＯＢファイルのデータである。従って、これらの間で表示が切り替わる際には、その切れ目で、表示されていた見開きページに不自然な位置移動や形状変化、大きさの変化が生じる可能性がある。これに対し本実施形態においては、再生入力を受け付けたページめくりアニメーションを、直前の見開きページから描画内容が滑らかに連続して見えるように再生表示し、ページめくりアニメーションの再生が終了した後に表示される新たな見開きページも、再生を終了した当該ページめくりアニメーションから、描画内容が滑らかに連続して見えるように表示するよう構成されている。つまり、画面上に設定される冊子型コンテンツのページ表示領域５６Ａにおける描画内容が滑らかに連続して見えるように、メニュー画面と本編再生画面とにおいて画面の引き継ぎがなされるように構成されている。
【００６９】
具体的には、メニュー画面に表示される全ての見開きページの画像データと、めくり動画データを構成する連続する画像フレームの先頭フレームと、同じく連続する画像フレームの最終フレームとの間で、表示される各ページの表示位置、形状、大きさが互いに一致するよう、各画像データや動画データに対応するＩＦＯファイルに従い、画面３０ａ上の表示位置が設定される（表示位置設定手段）。ここでは特に、ページめくりアニメーションのめくり動画データを構成する連続する画像フレーム群の先頭フレームは、ページめくりアニメーションのページめくり遷移前の見開きページと同じ画像（同じ描画内容）をコンテンツ表示領域に表示させる画像フレームとし、当該画像フレーム群の最終フレームは、ページめくりアニメーションのページめくり遷移後の見開きページと同じ画像（同じ描画内容）をコンテンツ表示領域に表示させる画像フレームとしている。
【００７０】
図１２の説明に戻る。本実施形態の冊子型コンテンツにおけるメニュー画面５０には、図３に示すように、冊子型コンテンツの各ページと立体めくりアニメーションとを表示するためのコンテンツ表示領域５６Ａと、それとは別の領域に操作ボタン５２を表示する操作ボタン領域５６Ｂとがある。操作ボタン領域５６Ｂの中には、操作ボタン５２として、ここでは順方向めくり動画データ及び逆方向めくり動画データを再生する形でページを所定ページまでめくるページめくり操作ボタン（操作受付領域）５２ａ〜５２ｄが表示されている。ただし、本実施形態においては、冊子型コンテンツに含まれる見開きページのうちの予め定められた別画像表示可能ページ（全てのページとしてもよい）においては、操作ボタン領域５６Ｂに、上述のめくり動画を再生する操作ボタン５２ａ〜５２ｄとは異なる別の画像を表示するための操作ボタン（操作受付領域：例えば図１３、図１４の符号５２ｅ，５２ｆ）が表示される。
【００７１】
この別の画像データは、ＤＶＤ−ｖｉｄｅｏデータファイルのＶＯＢファイルとして組み込まれており（ここでは、ＶＴＳ＿＃＃＿５．ＶＯＢやＶＴＳ＿＃＃＿６．ＶＯＢ）、見開きページ５１として別画像表示可能ページ５７を表示するメニュー画面５０において、当該別の画像データを表示する表示入力用の操作ボタン５２ｅや５２ｆが操作された場合には（Ｓ５：No＋Ｓ１１：Yes）、当該ＶＯＢファイルを特定して読み出し（Ｓ１２）、当該ＶＯＢファイルの記述内容を参照して、対応するＩＦＯファイルに格納されている再生制御プログラムを起動する。すると、当該ＶＯＢファイルの画像データが、コンテンツ表示領域５６Ａに、表示中の見開きページ５１に重なる形で表示（再生）される（Ｓ１３）。表示（再生）は所定期間で終了し（Ｓ１４）、終了すると、対応するＩＦＯファイルの再生制御プログラムに従い、再びもとの別画像表示可能ページ５７を表示するメニュー画面５０に戻る。
【００７２】
上記別の画像データは、メニュー画面５０にて表示中のページを拡大表示する拡大画像データとすることができる。なお、拡大表示の方法は様々な方法が考えられるが、本実施形態においては、図１３に示すように、メニュー画面５０に表示されるページを予め定められた領域に区分して、区分された各領域を所定表示期間の間拡大表示する形で、表示領域を順次変更していく拡大表示用の動画データ（ここではＶＴＳ＿０３＿５．ＶＯＢに格納される）とすることができる。また、拡大表示用動画の再生中には、一時停止操作を受け付け可能とすることで、閲覧したい領域を長時間閲覧することも可能となる。なお、区分された各領域を拡大した静止画を所定期間おきに切り替えて表示するスライドショーとしてもよい。図１３の場合は、操作ボタン５２ｅが操作されるに伴い、メニュー画面５０の見開きページ５１を４分割した４領域５５ａ〜５５ｄを一巡する形で、それぞれの拡大画像５４ａ〜５４ｄが順次表示される。なお、拡大表示の場合は、ページがめくられるわけではないから、表示が終了した後には、拡大表示前のもとのメニュー画面に戻る。
【００７３】
また、上記別の画像データは、表示中のページ上では表示できない付加情報や補足情報を表示するための画像データとすることもできる。例えば、表示中のページに関連した内容の動画データや静止画データとすることができる。本実施形態においては、予め定められたメニュー画面５０において（全ての見開きページでもよい）、表示される見開きページ５１のページ画像上に一部ないしは全てが重ねる形で、これとは別の画像を挿入映像として表示することが可能とされている。図１４の場合は、操作ボタン５２ｆが操作されるに伴い、コンテンツ表示領域５６Ａの中央にて、見開きページ５１（５７）上に重なる形で、別画像（ここではＶＴＳ＿０３＿５．ＶＯＢに格納された画像データとする）５３が表示される。なお、別画像５３を表示する場合は、ページがめくられるわけではないから、表示が終了した後には、別画像５３を表示する前のもとのメニュー画面（別画像表示可能ページ５７）に戻る。
【００７４】
なお、本編の再生（Ｓ５）は、メニュー画面に設けられた操作ボタン５２から選択する形でなされる。即ち、操作ボタン５２の数だけ、再生対象となるＶＯＢファイルが存在するということである。本実施形態において、立体ページアニメーションは、冊子型コンテンツ５の各見開きページ５１毎に設けられており、それら各見開きページ５１を表示するメニュー画面５０において操作可能となるめくり操作の数のめくり動画データが、それぞれＶＯＢファイルとして組み込まれている。ここでのめくり操作は、見開きページを順方向に１ページめくる操作と、見開きページを逆方向に１ページめくる操作と、見開きページを予め定められたページまで順方向に一括してめくる操作と、見開きページを予め定められたページまで逆方向に一括してめくる操作であり、これらの操作の対応するめくり動画データが、互いに異なるＶＯＢファイルとして組み込まれており、これら操作に対応する操作ボタン５２へが選択操作されると、対応するめくり動画データが再生表示され、その再生表示が終了するに伴い、めくり遷移先の見開きページ５１を表示するメニュー画面５０が表示される。
【００７５】
以上、本発明の一実施形態を説明したが、これらはあくまで例示にすぎず、本発明はこれらに限定されるものではなく、特許請求の範囲の趣旨を逸脱しない限りにおいて種々の変更が可能である。本発明の冊子型コンテンツのファイル構成は、上記実施形態の構成に限られるものではなく、ＶＯＢファイルにページ画像やページめくりアニメーションに使用する実データを格納し、ＩＦＯファイルにそれらの表示制御を実施するための制御データ（コマンド）を格納する、ＤＶＤ−ｖｉｄｅｏフォーマットのような所定の規格に従う構成であればよい。例えば、上記実施形態においては、ある見開きページを表示するメニュー画面上において再生操作可能となる動画データは、当該見開きページを表示するＶＯＢファイルと同じタイトル名を有したＶＯＢファイルとされているが、ＶＯＢファイルとして記憶されてさえいれば、同じタイトル名のＶＯＢファイルとする必要は無く、再生操作がなされたときに対応するＶＯＢファイルの動画データが指定されて再生されるようコマンド記述されていればよい。
【００７６】
また、本発明の冊子型コンテンツは、必ずしもＤＶＤメディアに記憶されている必要は無く、ハードディスク等の大容量記憶部やブルーレイディスク等の大容量メディアであってもよい。また、本発明の冊子型コンテンツは、インターネットを介して配信される構成でもよく、この場合、インターネット接続されたテレビが配信を受け、そのテレビ画面上で直接閲覧できるようにしてもよい。
【００７７】
また、上記実施形態の冊子型コンテンツにおいて、メニュー画面に表示されるページ映像は、本編映像をなす動画データとは別に用意された見開きページ画像であるが、当該見開きページ画像と同様の描画内容の画像が、本編映像をなすページめくりアニメーションの表示開始点のフレーム（先頭フレーム）又は表示終了点のフレーム（最終フレーム）に存在するので、メニュー画面において、これらのフレーム画像を表示するようにし、見開きページ画像を有さない形で構成されていてもよい。
【００７８】
また、上記実施形態の冊子型コンテンツにおいて、ページめくりアニメーションは、冊子型コンテンツの隣接する見開きページのうち、一方の見開きページの表示状態から他方の見開きページの表示状態へ遷移するための立体ページめくりアニメーションを表示するページめくりフレーム群からなるめくり動画データ（動画ストリームデータファイル）であり、見開きページ毎に、順方向に１ページめくるめくり動画データと、逆方向に１ページめくるめくり動画データとを、それぞれ異なるＶＯＢファイルとして有している。このようなめくり動画データは、冊子型コンテンツの各ページを、先頭見開きページから最終見開きページまで順方向に１ページずつ順にめくる形で連続するひとつながりの順方向めくり動画データと、当該冊子型コンテンツの各ページを最終見開きページから先頭見開きページまで逆方向に１ページずつ順にめくる形で連続するひとつながりの逆方向めくり動画データとの２つとし、隣接する見開きページ間のページめくりアニメーションをチャプタ設定により個別に再生可能として、チャプタジャンプによるチャプタ再生の形で、操作ボタン５２ａ，５２ｂの操作に伴い対応するチャプタのページめくりアニメーションを再生するようにしてもよい。
【００７９】
図１５は、本発明の冊子型コンテンツ表示システム１の変形例を示すブロック図である。この構成では、再生出力部１０の主体がマイコンからなる制御部１１であり、図１の再生出力部１０のＤＥＭＵＸ１０ａ、オーディオデコーダ１０ｂ、ビデオデコーダ１０ｃ、サブピクチャ処理装置１０ｄ及び画像合成部の各ブロックを、ハードディスクドライブ１２に格納されたプレーヤソフトウェア（例えば、Ｗｉｎｄｏｗｓ  Ｍｅｄｉａ  Ｐｌａｙｅｒ（商標名）あるいはＲｅａｌＰｌａｙｅｒ（商標名）など）及びデコーダソフトウェアといったソフトウェア１２ａにより機能実現している。再生出力部１０を含め、ハードウェア全体がパーソナルコンピュータ１ｂ（１）として構成され、インターネットルータ等で構成された通信インターフェース１３を介してインターネット１００に接続されている。
【００８０】
冊子型コンテンツのデータファイルをなすＤＶＤ−ｖｉｄｅｏデータファイルは、データ入力装置１４（１８，１９）を介してＤＶＤ−ｖｉｄｅｏディスク８０ないしＩＣメモリ（メモリーカード）９０から取得可能であるが、これらとは別にインターネット１００を介して接続されたコンテンツ配信サーバ２００からダウンロード取得することも可能となっている。また、通常のパーソナルコンピュータと同様にキーボード１６ａとマウス（ポインティングデバイス）１６ｂとからなる汎用入力部１６を備えている。冊子型コンテンツの表示形態は、既に述べた実施形態と同様にして、モニタ３０の画面上のウィンドウ３２内に表示され、冊子型コンテンツの表示操作（ページめくり操作）は、マウス１７を用い、次ページボタン５２ａ、前ページボタン５２ｂ等のボタン５２を選択・クリックすることにより行うことができる。
【００８１】
また、インターネット１００を介して接続されたコンテンツ配信サーバ２００からダウンロード取得する構成とするならば、図１７に示すような携帯電話機１ｃ（１）として構成することも可能である。この場合、操作部１６をなすテンキーの「２」「４」「８」「６」のボタンを使って、十字キー７０ｚとして機能させ、「５」を決定スイッチ７０ｘとして機能させることができる。冊子型コンテンツの表示形態は、既に述べた実施形態と同様にして画面３０上に表示され、冊子型コンテンツの表示操作（ページめくり操作）は、テンキーを用いて各種ボタン５２を選択・クリックすることにより行うことができる。
【符号の説明】
【００８２】
１    映像再生装置
１ａ  ＤＶＤ再生装置（ＤＶＤプレーヤ）
１０  再生出力部
１５  再生制御部
１６  本体操作部（操作パネル）
１７  受信部（受光部）
１８  データ読取装置
２０  音声出力装置
３０  表示装置
８０  記憶媒体（ＤＶＤ）
７０  リモコン
７０ｚ  十字キー
７０ｘ  決定スイッチ
１６ｅ，７０ｅ  再生スイッチ
５０  メニュー画面
５１  見開きページ
５２  操作ボタン
【図１】
2010277458.tif 000003
【図２】
2010277458.tif 000004
【図３】
2010277458.tif 000005
【図４】
2010277458.tif 000006
【図５】
2010277458.tif 000007
【図６】
2010277458.tif 000008
【図７】
2010277458.tif 000009
【図８】
2010277458.tif 000010
【図９】
2010277458.tif 000011
【図１０】
2010277458.tif 000012
【図１１】
2010277458.tif 000013
【図１２】
2010277458.tif 000014
【図１３】
2010277458.tif 000015
【図１４】
2010277458.tif 000016
【図１５】
2010277458.tif 000017
【図１６】
2010277458.tif 000018
【図１７】
2010277458.tif 000019
【図１８】
2010277458.tif 000020
【図１９】
2010277458.tif 000021